(57)【要約】      （修正有）【課題】登攀されているクライミング・ホールドの状況をリアルタイムにモニタリング可能なロッククライミング・システムを提供する。【解決手段】クライミング・ホールドは、導電性膜及び回路基板を有するクライミング・ホールド・ボディー１を含む。ロッククライミング・システムは、クライミング・ウォールと、メイン制御ユニットと、制御端末と、複数のクライミング・ホールドとを備える。クライミング・ホールド回路基板とメイン制御ユニットとは電気的に接続される。制御端末とメイン制御ユニットとは電気的に接続される。クライミング・ホールドに触れると、導電性膜と人体の静電気容量とが結びついて静電容量に変化が生じる。クライミング・ホールド回路基板は、そのような変化を瞬時に感知し、状況信号を制御端末へと送信することができる。すべてのクライミング・ホールドの状況をモニタリングすることで、解析を実行することができる。【選択図】図１
2017023707.tif 000002
【特許請求の範囲】
【請求項１】
ロッククライミングで用いられるクライミング・ホールドであって、
導電性膜を有するクライミング・ホールド・ボディーであって、クライミング・ホールドが登攀されるとき、前記導電性膜と人体の静電気容量とが結びついて静電容量に変化が生じるクライミング・ホールド・ボディーと、
前記導電性膜と電気的に接続されるクライミング・ホールド制御回路基板と、
を備える、ロッククライミングで用いられるクライミング・ホールド。
【請求項２】
少なくとも一つの発光ダイオード（ＬＥＤ）が前記クライミング・ホールド・ボディーの内部に配置され、
前記ＬＥＤは、前記クライミング・ホールド制御回路基板と電気的に接続されている、
請求項１に記載のロッククライミングで用いられるクライミング・ホールド。
【請求項３】
複数の前記ＬＥＤを備え、
複数の前記ＬＥＤは、フルカラーＬＥＤ及び白色ＬＥＤを含む、
請求項２に記載のロッククライミングで用いられるクライミング・ホールド。
【請求項４】
ハウジングケースが前記クライミング・ホールド・ボディーの内部に配置され、
前記導電性膜は、前記クライミング・ホールド・ボディーと前記ハウジングケースと間に配置されている、
請求項１に記載のロッククライミングで用いられるクライミング・ホールド。
【請求項５】
導電性膜保護ハウジングケースを更に備え、
前記導電性膜保護ハウジングケースは、前記導電性膜の外部側の周囲にスリーブ状に配置され、
前記導電性膜保護ハウジングケースは、前記クライミング・ホールド・ボディーと前記導電性膜との間に配置されている、
請求項４に記載のロッククライミングで用いられるクライミング・ホールド。
【請求項６】
電源を供給する通信インタフェースが前記クライミング・ホールド制御回路基板に設置され、
前記電源を供給する通信インタフェースは、ＲＪ１１又はＲＪ４５のインタフェースである、
請求項１に記載のロッククライミングで用いられるクライミング・ホールド。
【請求項７】
クライミング・ホールド・マイクロコントローラ・ユニット（ＭＣＵ）が前記クライミング・ホールド制御回路基板に設置され、
前記クライミング・ホールドＭＣＵは、前記導電性膜と電気的に接続されている、
請求項１に記載のロッククライミングで用いられるクライミング・ホールド。
【請求項８】
前記クライミング・ホールド制御回路基板は、クライミング・ホールドの内部、又は、クライミング・ウォールの背部に配置されている、
請求項１に記載のロッククライミングで用いられるクライミング・ホールド。
【請求項９】
無線送受信モジュールが前記クライミング・ホールド制御回路基板に設置されている、
請求項１に記載のロッククライミングで用いられるクライミング・ホールド。
【請求項１０】
ロッククライミング・ルートを設定するために、レーザーペンから放出されるレーザーを受光するための光感知器を更に備え、
前記光感知器は、前記クライミング・ホールド制御回路基板と電気的に接続されている、
請求項１に記載のロッククライミングで用いられるクライミング・ホールド。
【請求項１１】
圧力感知器を更に備え、
前記圧力感知器は、前記クライミング・ホールド制御回路基板と電気的に接続されている、
請求項１に記載のロッククライミングで用いられるクライミング・ホールド。
【請求項１２】
クライミング・システムであって、
クライミング・ウォールと、
メイン制御ユニットと、
制御端末と、
複数のクライミング・ホールドと、
を備え、
それぞれの前記クライミング・ホールドは、導電性膜を有するクライミング・ホールド・ボディーであって、前記クライミング・ホールドが登攀されるとき、前記導電性膜と人体の静電気容量とが結びついて、静電容量に変化が生じるクライミング・ホールド・ボディーと、前記導電性膜と電気的に接続されるクライミング・ホールド制御回路基板と、を有し、
前記クライミング・ホールドは、前記クライミング・ウォールに配置され、
前記メイン制御ユニットは、メイン制御回路基板を有し、
前記メイン制御回路基板には、メイン・マイクロコントローラ・ユニット（ＭＣＵ）が配置され、
前記クライミング・ホールドの前記クライミング・ホールド制御回路基板は、前記メイン制御回路基板と電気的に接続され、
前記制御端末は、前記メイン制御回路基板と電気的に接続されている、
ことを特徴とする、クライミング・システム。
【請求項１３】
前記制御端末は、コンピュータ端末又はインテリジェント端末である、
請求項１２に記載のロッククライミング・システム。
【請求項１４】
前記メイン制御ユニットは、無線通信モジュールを有し、
前記メイン制御ユニットは、前記無線通信モジュールを通して前記制御端末と接続されている、
請求項１２に記載のロッククライミング・システム。
【請求項１５】
前記メイン制御ユニットは、インテリジェント端末との通信のための近距離無線通信モジュールを有する、
請求項１２に記載のロッククライミング・システム。
【請求項１６】
前記クライミング・ホールドは、複数のＬＥＤを有し、
前記複数のＬＥＤは、フルカラーＬＥＤ及び白色ＬＥＤを含む、
請求項１２に記載のロッククライミング・システム。
【請求項１７】
ハウジングケースが前記クライミング・ホールド・ボディーの内部に配置され、
前記導電性膜は前記クライミング・ホールド・ボディーと前記ハウジングケースとの間に配置されている、
請求項１２に記載のロッククライミング・システム。
【請求項１８】
前記クライミング・ホールドは、導電性膜保護ハウジングケースを更に備え、
前記導電性膜保護ハウジングケースは、前記導電性膜の外部側の周囲にスリーブ状に配置され、
前記導電性膜保護ハウジングケースは、前記クライミング・ホールド・ボディーと前記導電性膜との間に配置されている、
請求項１２に記載のロッククライミング・システム。
【請求項１９】
前記クライミング・ホールドは、ロッククライミング・ルートを設定するために、レーザーペンから放出されるレーザーを受光するための光感知器を更に有し、
前記光感知器は、前記クライミング・ホールド制御回路基板と電気的に接続されている、
請求項１２に記載のロッククライミング・システム。
【請求項２０】
前記クライミング・ホールドは、圧力感知器を更に有し、
前記圧力感知器は、前記クライミング・ホールド制御回路基板と電気的に接続されている、
請求項１２に記載のロッククライミング・システム。
【発明の詳細な説明】
【技術分野】
【０００１】
関連出願の相互参照
本願は、２０１５年７月２７日出願の中国特許出願番号２０１５１０４４７７０８．６及び２０１６年３月１０日出願の香港短期特許出願番号１６１０２７６３．３からの優先権を主張し、その内容全体を参照によって援用する。
【０００２】
本願は、ロッククライミング装置に関し、詳細には、ロッククライミングに用いられるクライミング・ホールド及びロッククライミング・システムに関する。
【背景技術】
【０００３】
現在、ロッククライミング・ウォール又はロッククライミング・システムでは天然の岩以外にも、人工的なクライミング・ホールドすなわちハンドホールドが広く採用されている。クライミング・ホールドは、樹脂等の高分子材料の種々の合成物で形成することができる。クライミングの魅力を向上させるとともに、より多くの若者や子供たちがクライミング活動に参加したくなるように、ＬＥＤを内蔵した蛍光クライミング・ホールドや、ＬＥＤを内蔵した透明又は半透明のクライミング・ホールドが登場してきている。しかしながら、これらのクライミング・ホールドを使用する効果は非常に限定されている。現在は、異なる色で光るクライミング・ルートを予め設定できるに過ぎない。効力は、単に、グループ全体の発光や、個別の発光及び点滅等に限られる。
【発明の概要】
【発明が解決しようとする課題】
【０００４】
本願の目的は、ロッククライミングに用いられるクライミング・ホールド及びロッククライミング・システムを提供することにある。
【課題を解決するための手段】
【０００５】
ロッククライミングに用いられる本クライミング・ホールドは、クライマーの登攀状況を感知し、解析及び判断のために制御端末へと状況情報を即座に送信することができる。
【０００６】
まず、導電性膜を有するクライミング・ホールド・ボディーを備えた、ロッククライミングに用いられるクライミング・ホールドが提供される。クライミング・ホールドが登攀されるとき、導電性膜と人体の静電気容量とが結びついて、静電容量に変化が生じる。クライミング・ホールドは、導電性膜と電気的に接続されるクライミング・ホールド制御回路基板を更に備える。
【０００７】
ロッククライミングに用いられるクライミング・ホールドの一の態様では、少なくとも一つの発光ダイオード（ＬＥＤ）がクライミング・ホールド・ボディーの内部に配置されており、ＬＥＤはクライミング・ホールド制御回路基板と電気的に接続されている。
【０００８】
ロッククライミングに用いられるクライミング・ホールドの一の態様では、クライミング・ホールドは複数のＬＥＤを備えていてもよく、複数のＬＥＤにはフルカラーＬＥＤ及び白色ＬＥＤを含んでもよい。
【０００９】
ロッククライミングに用いられるクライミング・ホールドの一の態様では、ハウジングケースがクライミング・ホールド・ボディーの内部に配置されており、導電性膜はクライミング・ホールド・ボディーとハウジングケースと間に配置されている。
【００１０】
ロッククライミングに用いられるクライミング・ホールドの一の態様では、クライミング・ホールドは導電性膜保護ハウジングケースも含む。導電性膜保護ハウジングケースは、導電性膜の外部側の周囲にスリーブ状で配置されており、導電性膜保護ハウジングケースは、クライミング・ホールド・ボディーと導電性膜との間に配置されている。
【００１１】
ロッククライミングに用いられるクライミング・ホールドの一の態様では、電源を供給する通信インタフェースがクライミング・ホールド制御回路基板に設けられており、通信インタフェースはＲＪ１１又はＲＪ４５である。
【００１２】
ロッククライミングに用いられるクライミング・ホールドの一の態様では、クライミング・ホールド・マイクロコントローラ・ユニット（ＭＣＵ）がクライミング・ホールド制御回路基板に設けられており、クライミング・ホールドＭＣＵは、導電性膜と電気的に接続されている。
【００１３】
ロッククライミングに用いられるクライミング・ホールドの一の態様では、クライミング・ホールド制御回路基板は、クライミング・ホールドの内部、又は、クライミング・ウォールの背部に配置されている。
【００１４】
ロッククライミングに用いられるクライミング・ホールドの一の態様では、無線送受信モジュールが、クライミング・ホールド制御回路基板に設けられる。
【００１５】
ロッククライミングに用いられるクライミング・ホールドの一の態様では、クライミング・ホールドは、クライミング・ルートを設定するために、レーザーペンから放出されるレーザーを受光する光感知器を更に備えており、光感知器は、クライミング・ホールド制御回路基板と電気的に接続されている。
【００１６】
ロッククライミングに用いられるクライミング・ホールドの一の態様では、クライミング・ホールドは、クライマーがクライミング・ホールドを掴んだ時の力を感知する圧力感知器を更に備えており、圧力感知器はクライミング・ホールド制御回路基板と電気的に接続されている。
【００１７】
他方面では、クライミング・ウォールと、メイン制御ユニットと、制御端末と、複数のクライミング・ホールドと、を備えるロッククライミング・システムが提供される。クライミング・ホールドは、クライミング・ウォールに配置される。メイン制御ユニットは、メイン制御回路基板を有する。メイン制御回路基板には、メインＭＣＵが設けられる。クライミング・ホールドのクライミング・ホールド制御回路基板は、メイン制御回路基板と電気的に接続される。制御端末は、メイン制御回路基板と電気的に接続される。
【００１８】
ロッククライミング・システムの一の態様では、制御端末はコンピュータ端末又はインテリジェント端末である。
【００１９】
ロッククライミング・システムの一の態様では、メイン制御ユニットは無線通信モジュールを有しており、メイン制御ユニットは無線通信モジュールを通して制御端末と接続されている。
【００２０】
ロッククライミング・システムの一の態様では、メイン制御ユニットは、インテリジェント端末との通信のための近距離無線通信モジュールを有している。
【発明の効果】
【００２１】
本願のロッククライミングに用いられるクライミング・ホールド及びロッククライミング・システムは、次の効果がある。本願のクライミング・ホールドは、導電性膜を有する。クライミング・ホールドが登攀されるとき、導電性膜と人体の静電気容量と結びついて静電容量に変化が生じる。クライミング・ホールドのクライミング・ホールド制御回路基板は、即座に変化を感知し、情報を制御端末へ送信することができる。本願のロッククライミング・システムにおいて、制御端末は、統計的分析のために、登攀されているクライミング・ホールドの状況をリアル・タイムにモニタリングすることができる。
【００２２】
本願のロッククライミングに用いられるクライミング・ホールド及びロッククライミング・システムの具体的な実施形態を、添付の図面を参照して例示的に説明する。
【図面の簡単な説明】
【００２３】
【図１】本願のロッククライミングに用いられるクライミング・ホールドの一実施形態の分解組立図である。
【図２】本願のロッククライミングに用いられるクライミング・ホールドの他の実施形態の分解組立図である。
【図３】本願のロッククライミング・システムの一実施形態の構造の説明図である。
【図４】本願のロッククライミング・システムの他の実施形態の構造の説明図である。
【図５Ａ】本願のロッククライミング・システムの更なる実施形態の構造の説明図である。
【図５Ｂ】図５Ａのクライミング・ホールドの分解組立図である。
【発明を実施するための形態】
【００２４】
本願のロッククライミングに用いられるクライミング・ホールド及びロッククライミング・システムの技術的特徴、目的及び効果を理解しやすくするために、添付図面を参照しながら具体的な実施形態を以下に説明する。
【００２５】
以下に、本願のロッククライミングに用いられるクライミング・ホールド及びロッククライミング・システムの実施形態を詳細に説明する。これらの実施形態を添付図面に示す。同様の機能を有する同様の部材には、同様の参照符号をすべての図面にわたって用いる。
【００２６】
本願のクライミング・ホールドは、クライミング・ホールド・ボディーに導電性膜（フィルム）の層を付加している。クライミング・ホールドが登攀されるとき、導電性膜と人体の静電気容量とが結びついて静電容量に変化が生じ、クライミング・ホールドが登攀状況にあるか否かを知ることができる。登攀状況は、クライミング・ホールドに触れること、当たることや、クライミング・ホールドを握ること、掴むこと、ぶら下がること、つまむこと、持ち上げること、押すこと、圧迫すること等をいう。クライミング・ホールドのクライミング・ホールド制御回路基板は、登攀状況を感知して即座に制御端末へ送信し詳細に記録させ、情報を計算、集計、分析して直ちに結果を生成することができる。クライマー及び／又は競技者は、以降の練習及び競技において改善を図ることができる。
【００２７】
導電性膜は空間を占有せず、重量も無視できる程度である。既存の人工的なクライミング・ホールドの構造を変更する必要がない。薄い導電性膜だけで、モニタリング機能を持たせることができる。クライミング・ホールドのどの点でもモニタリングに十分に使用して、より便利にかつ実用的にロッククライミングに適用できる。
【００２８】
導電性膜として、透明導電性膜を選択できる。透明導電性膜を、蛍光材料、透明材料及び／又は半透明材料で形成された人工的なクライミング・ホールド・ボディーに適用することで、光線の透過を確保できる。木材クライミング・ホールド、天然石クライミング・ホールド、樹脂クライミング・ホールド、プラスチック・クライミング・ホールド及びゴム・クライミング・ホールドを含む非導電性クライミング・ホールドに、導電性膜を適用できるので、既存の人工的なクライミング・ホールドの色又は形状を変更する必要がない。
【００２９】
登攀過程においてクライミング・ホールド制御回路基板から登攀状況を即座に送信することによって、制御端末は、クライマーがあるクライミング・ホールドから他のクライミング・ホールドへと登攀するのに必要な時間を容易に記録することができ、またクライミング・ルートを容易に記録することができる。
【００３０】
さらに、制御端末は、クライミング・ホールドを制御できる。クライミング・ホールドは複数のＬＥＤが有することができる。時間及び／又は規則に応じてゲームや競技のクライミング・ルートを設定するため、制御端末を通じて、ＬＥＤの色や点滅状態を変化させたり及び／又は同時に色の変化と点滅を変化させたり等することで、多様な組み合わせが選択される。便利でかつ実用的であるだけでなく、楽しさや柔軟性も高めることができる。
【００３１】
図１に、本願のロッククライミングに用いられるクライミング・ホールドすなわちハンドホールドの実施形態を示す。本実施形態のクライミング・ホールドは、高分子材料で形成することができ、また天然石、木材又は他の適当な材料で形成することもできるクライミング・ホールド・ボディー１を有する。クライミング・ホールド・ボディー１は、クライミング・ウォール１１０上に取り付けることができ、ロッククライミングのクライミングサポートとして用いることができる。登攀状況を即座に取得可能とするために、導電性膜６をクライミング・ホールド・ボディー１に設けることができる。ロッククライミングの際に、導電性膜６とクライマーの静電気容量とが結びついて静電容量に変化が生じる。導電性膜６には透明な導電性膜が優先的に選択される。本実施形態において、クライミング・ホールド・ボディー１内に、クライミング・ホールド制御回路基板８を設置してある。クライミング・ホールド制御回路基板８には、クライミング・ホールド・マイクロコントローラ・ユニット（ＭＣＵ）１１を設置することができる。クライミング・ホールド制御回路基板８と、クライミング・ホールド制御回路基板８に設けられたクライミング・ホールドＭＣＵ１１とは、導電性膜６の静電容量変化を感知してモニタリングするために用いることができ、これにより登攀状況を外部機器に送信することができる。そこでクライミング・ホールドＭＣＵ１１は必須ではないことが理解される。クライミング・ホールド１にクライミング・ホールドＭＣＵ１１を設けなくてもよい。代わりに、ロッククライミング・システムのメイン制御ユニット２１０を、導電性膜６の静電容量変化を直接モニタリングするために用いることができる。
【００３２】
導電性膜６は、ポリエステル、樹脂混合物、及びポリチオフェンとポリエチレン・テレフタレートとの樹脂混合物で形成可能な透明な導電性膜である。導電性膜６と人体の静電気容量とが結びついて静電容量に変化が生じる。たとえクライミング・ホールド・ボディー１又は他の材料によって離間していても、導電性膜６は人体の静電気容量と結びつくことができる。導電性膜６を不透明又は半透明とできることが理解できる。現在、インテリジェント端末のタッチ・スクリーンに、このような透明な導電性膜が用いられている。
【００３３】
また、本実施形態において、クライミング・ホールドがガイド機能を提供し、クライミングの楽しさを向上させることができるよう、クライミング・ホールド・ボディー１にＬＥＤ１４を設けることができる。一つ以上のＬＥＤ１４を設置することもできる。ＬＥＤ１４の色は、白、赤、黄、青、フルカラー、あるいは他の色にすることができる。ＬＥＤ１４を色変化が可能なＬＥＤとしてもよい。ＬＥＤ１４とクライミング・ホールド制御回路基板８とを電気的に接続することができ、外部制御端末からの指示に基づきクライミング・ホールドＭＣＵ１１により制御することができる。外部制御端末は、ＬＥＤ１４を点灯／消灯させることができ、又は色を変化させることができ、そしてＬＥＤ１４を異なる速さで点滅させることができる。さらに、登攀の際の相互作用を高めるため、外部制御端末は、各クライミング・ホールドのクライミング状況を受け付けたとき、フィードバックを行うことができる。外部制御端末は、クライミング・ホールドの色を変化させる等ができる。ＬＥＤ１４は直接に制御回路基板に設置することができる。
【００３４】
本実施形態において、導電性膜６を保護するために、導電性膜保護ハウジングケース３（外側ハウジング）及びハウジングケース７（内側ハウジング）が、クライミング・ホールド・ボディー１の内側に配置される。導電性膜６は、外側ハウジング３と内側ハウジング７との間に密着させて取り付けられ、これにより、導電性膜６の形状を固定できる。クライミング・ホールド・ボディー１は、外側ハウジング３及び内側ハウジング７の外側に配置される。導電性膜６を、ネジ４及び平坦ガスケット５によってクライミング・ホールド制御回路基板８に接続することができる。ネジ４は、導電性膜６を内側ハウジング７に固定する固定機能を有することができ、また、導電性膜６をクライミング・ホールド制御回路基板８に接続することもできる。また、本実施形態の外側ハウジング３は、内側ハウジング７及び導電性膜６を覆うカバーの態様とすることができる。外側ハウジング３は、導電性膜６を保護するよう機能することができる。外側ハウジング３は、クライミング・ホールド・ボディー１を回転させる時に導電性膜６が破損することを防止できる。クライミング・ホールド・ボディー１は、外側ハウジング３を覆うことができる。外側ハウジング３は、ネジ２によって内側ハウジング７に固定することができる。
【００３５】
本実施形態において、クライミング・ホールド制御回路基板８を、ネジ１０によって内側ハウジング７に固定することができる。クライミング・ホールド制御回路基板８には、クライミング・ホールド制御回路基板８に電力を供給するとともに、メイン制御ユニット２１０と通信する通信インタフェース９を設置することができる。本実施形態において、通信インタフェース９は、ＲＪ１１ソケットである。通信インタフェース９は、ＲＪ４５インタフェース等の他の適切な標準インタフェースとしてもよいことが理解される。
【００３６】
また、この実施形態において、クライミング・ホールドの設置を容易にするため、クライミング・ホールド制御回路基板８には、クライミング・ホールドとロッククライミング・システムのメイン制御ユニット２１０との間の通信のための無線送受信モジュール１５を設けることができる。無線送受信モジュール１５は、ＷｉＦｉモジュール、ブルートゥース（登録商標）モジュール又は他の適切な無線送受信モジュールとすることができる。
【００３７】
また、この実施形態において、クライミング・ルートをより簡便に配置するため、クライミング・ホールドは、ロッククライミング・ルートを配置するために、レーザーペンから放出されるレーザーを受光するための光感知器１３が更に有する。光感知器１３は、クライミング・ホールド制御回路基板８と電気的に接続することができる。光感知器１３を、レーザーペンで容易に照射できる場所に設置することができる。例えば、光感知器１３は、クライミング・ホールド・ボディー１上に配置することができ、又は、クライミング・ホールド制御回路基板８上に配置することもできる。レーザーペンによって光感知器１３に照射がなされると、クライミング・ホールドが選択されているか否かを判断するために、対応する電気信号が生成される。
【００３８】
また、この実施形態において、クライマーがクライミング・ホールドを掴む力を感知するために、クライミング・ホールドは圧力感知器１２を有することができる。クライマーがクライミング・ホールドに力を加えた後、導電性膜６が、クライミング・ホールドの全ての位置について掴む力及び時間を感知し、これらを、その解析のために圧力感知器１２に送信することができる。圧力感知器１２とクライミング・ホールド制御回路基板８とを、電気的に接続することができる。導電性膜６及び圧力感知器１２を通して、クライマーの登攀状況及び動作をリアル・タイムにモニタリングし記録することができる。詳細なクライミングデータは、あらゆるクライマーに、新たなクライミング体験及び改善をもたらすことができる。
【００３９】
図２に、本願のクライミング・ホールドの他の実施形態を示す。先の実施形態において、クライミング・ホールド制御回路基板８は、クライミング・ホールド内に配置でき、また、クライミング・ホールドはクライミング・ウォール１１０上に設置される。本実施形態において、クライミング・ホールド制御回路基板８は、クライミング・ウォール１１０の背面に配置することができる。クライミング・ホールド制御回路基板８は、クライミング・ウォール１１０を貫通してネジ又はワイヤ等の接続要素によって、クライミング・ホールド・ボディー１に接続することができる。この構造により、クライミング・ホールドの省スペース化に役立つ。
【００４０】
図３に、本願のロッククライミング・システムの一実施形態を示す。ロッククライミング・システムは、本願に係るロッククライミングに用いられる複数のクライミング・ホールド１００を有するクライミング・ウォール１１０を含む。クライミング・ホールド１００は、様々な配置でクライミング・ウォール１１０に装着することができる。また、ロッククライミング・システムは、メイン制御ユニット２１０を有する。メイン制御ユニット２１０は、メイン制御回路基板２００を有することができる。メイン制御回路基板２００上には、メイン・マイクロコントローラ・ユニット（ＭＣＵ）及びＵＳＢインタフェース２０１及び／又は無線通信モジュール２０２を配置できる。クライミング・ホールド１００のクライミング・ホールド制御回路基板８を、電話線１２０を通してメイン制御回路基板２００と接続することができる。また、ロッククライミング・システムは、メイン制御回路基板２００と電気的に接続されている制御端末を有する。制御端末は、コンピュータ端末３１０及び／又はインテリジェント端末３２０とすることができる。インテリジェント端末３２０は、スマートフォン、携帯情報端末（ＰＤＡ）、タブレット等とすることができる。制御端末は、ＵＳＢインタフェース２０１を通じて電気ケーブルにより、又は、無線通信モジュール２０２を通じて無線通信により、メイン制御回路基板２００と接続することができる。メイン制御回路基板２００上には、ＵＳＢインタフェース２０１又は無線通信モジュール２０２の一方のみを配置することができ、あるいは、ＵＳＢインタフェース２０１及び無線通信モジュール２０２の両方を配置することができる。メイン制御回路基板２００には、近距離通信モジュール（ＮＦＣモジュール）２０３を配置することができる。近距離通信モジュール２０３は、インテリジェント端末３２０の近距離通信モジュールと通信することができる。クライマーは、インテリジェント端末３２０から登攀活動の記録をチェックすることができる。インテリジェント端末にインストールされたアプリケーションにより、クライマーは、インテリジェント端末３２０上でクライミング・ルートを容易に予め設定することができ、その後、メイン制御回路基板２００上にインテリジェント端末３２０を置いて、個々のクライマーのためのクライミング・ルートを直ちに示すことができる。もちろん他のタイプの通信インタフェースをメイン制御回路基板２００に配置できることが理解できる。
【００４１】
図４に、本願のロッククライミング・システムの他の実施形態を示す。通信のためにクライミング・ホールドをメイン制御回路基板２００に接続する電気ケーブルを用いることに代えて、この実施形態においては、通信に無線通信を用いることができる。各クライミング・ホールド１００は、その無線送受信モジュール１５を通して、メイン制御回路基板２００と無線通信を行うことができる。クライミング・ホールド１００が触れられる又は離されると、クライミング・ホールドは、その無線送受信モジュール１５からメイン制御回路基板２００のメインＭＣＵへと信号を送信することができる。同様に、メイン制御ユニット２１０も、その無線通信モジュール２０２を通してクライミング・ホールドＭＣＵ１１に信号を送信することができる。本実施形態において、メイン制御ユニット２１０と制御端末３１０との間の通信も、無線通信とすることができる。
【００４２】
本願のロッククライミング・システムにおいて、クライマーがクライミング・ホールドを登攀するとき、クライミング・ホールドの導電性膜６と人体の静電気容量とが結びついて静電容量に変化が生じる。静電容量変化がクライミング・ホールド制御回路基板８上のクライミング・ホールドＭＣＵ１１によって検出され、クライマーがそのクライミング・ホールドを登攀していると判断されたとき、クライミング・ホールド状況がメイン制御ユニット２１０に直ちに送信される。クライミング・ホールドＭＣＵ１１は、クライミング・ホールドが３秒間クライマーによって掴まれていると感知した時、クライマーがクライミング・ホールドを掴んでいると判断され、ロッククライミング状況は、メイン制御ユニット２１０に直ちに送信される。もちろんクライミング・ホールドを掴んでいる時間を必要に応じて設定できることは理解できる。クライマーがクライミング・ホールドを離すと、導電性膜６の静電容量は通常に戻る。静電容量変化がクライミング・ホールドＭＣＵ１１によって感知されると、クライマーがクライミング・ホールドを離したと判断され、その状況がメイン制御ユニット２１０に直ちに送信される。メイン制御ユニット２１０は各クライミング・ホールドの状況を受信すると、ＵＳＢを通してクライミング・ホールドの状況を、コンピュータ端末３１０又はインテリジェント端末３２０にすることができる制御端末へ送信する。制御端末には、対応するアプリケーションをインストールすることができ、各クライミング・ホールドの状況の変化が即時に表示される。制御端末のロッククライミング・システムのアプリケーションを通して、色と点灯との組み合わせの多様性によって、異なるクライミング・ルート及びゲームを設計することができる。
【００４３】
図５Ａ及び図５Ｂに、ロッククライミング・システム及びクライミング・ホールドの他の実施形態をそれぞれ示す。本実施形態のロッククライミング・システムにおいて、クライミング・ホールド１００は、クライミング・ホールドＭＣＵ１１を有していない。クライミング・ホールド１００の導電性膜６及びＬＥＤは、メイン制御ユニット２１０のメイン制御回路基板２００に直接接続することができる。メイン制御回路基板２００のメインＭＣＵは、直接的に導電性膜６の静電容量変化をモニタリングしＬＥＤを制御することができる。
【００４４】
本願のクライミング・ホールドは、導電性膜を有している。クライミング・ホールドが登攀されると、導電性膜の静電容量が変化する。クライミング・ホールド制御回路基板８のクライミング・ホールドＭＣＵ１１は、変化を即座に検出し、情報を制御端末へと送信できる。本実施形態のロッククライミング・システムにおいて、制御端末は、統計及び分析のために、クライミング・ホールドの登攀状況をリアル・タイムにモニタリングすることができる。
【００４５】
本実施形態のクライミング・ホールドには、導電性膜６及び制御回路基板８が配置されており、クライミング・ホールドの全ての位置における圧力を感知することができる。クライマーがクライミング・ホールドに力を作用させる時、導電性膜６が掴む力を感知し、データを統計分析のために制御端末に出力することができる。詳細な登攀データは、あらゆる種類のクライマーに新しい登攀体験及び改善をもたらすことができる。
【００４６】
以上、添付図面を参照して特定の実施形態を説明した。但し、本願は上記特定の実施形態に限定されていない。上記特定の実施形態は単なる例示であって、限定と見なされるものではない。上記の開示から、当業者は、添付の特許請求の範囲から逸脱することなく種々の変形及び変更を行うことができることを付言しておく。
【図１】
2017023707.tif 000003
【図２】
2017023707.tif 000004
【図３】
2017023707.tif 000005
【図４】
2017023707.tif 000006
【図５Ａ】
2017023707.tif 000007
【図５Ｂ】
2017023707.tif 000008